(57)【要約】【課題】電源切断状態での給紙カセットの着脱の有無の把握を安価に達成できる給紙装置を提供すること。【解決手段】当該給紙装置Ｘの電源が投入されるたびに，電源投入時に記録紙センサ１０６により検知された第１の検知結果と，電源切断時に記憶部１２１により記憶された第２の検知結果と，電源投入後にモータ１０４と軸１０３と移動板１０２とにより記録紙積載板１０１が，その上面に載置された記録紙の最上層が予め定められた給紙位置に達する位置に移動されるか又は記録紙を載置していない記録紙積載板１０１が移動可能な範囲のうちの最上部に移動された時に上記記録紙センサ１０６により検知された第３の検知結果と，に基づいて，上記給紙装置Ｘの電源切断状態での給紙カセット１００の着脱の有無を判断する制御部１２０と，を具備してなることを特徴とする給紙装置Ｘ。【選択図】図１
2008114998.tif 000002
【特許請求の範囲】
【請求項１】
当該給紙装置本体に着脱自在な給紙カセットに設けられ記録紙を積載する記録紙積載板と，上記給紙カセットが着脱される時に上記記録紙積載板を移動可能な範囲のうちの最下部に移動させる移動手段と，上記記録紙積載板に積載された記録紙の最上層が予め定められた給紙位置にあるか否かを検知する記録紙検知手段とを備えた給紙装置であって，
当該給紙装置の電源切断時に上記記録紙積載板がその移動可能な最上部に移動され，その時に上記記録紙検知手段により検知された検知結果を記憶する記録紙検知結果記憶手段と，
上記給紙装置の電源が投入されるたびに，電源投入時に上記記録紙検知手段により検知された第１の検知結果と，上記記録紙検知結果記憶手段により記憶された第２の検知結果と，電源投入後に上記移動手段により上記記録紙積載板が，その上面に載置された記録紙の最上層が上記給紙位置に達する位置に移動されるか又は記録紙を載置していない記録紙積載板が移動可能な範囲のうちの最上部に移動された時に上記記録紙検知手段により検知された第３の検知結果と，に基づいて，上記給紙装置の電源切断状態での上記給紙カセットの着脱の有無を判断する給紙カセット着脱判断手段と，
を具備してなることを特徴とする給紙装置。
【請求項２】
上記給紙カセット着脱判断手段が，上記給紙装置の電源が投入されるたびに，上記第１の検知結果と，上記第２の検知結果及び上記第３の検知結果のいずれか一方又は両方と，に基づいて，上記給紙装置の電源切断状態での上記給紙カセットの着脱の有無を判断するものである請求項１に記載の給紙装置。
【請求項３】
上記第１の検知結果が有の場合，上記給紙カセット着脱判断手段は，上記給紙カセットの着脱無しと判断するものである請求項２に記載の給紙装置。
【請求項４】
上記第１の検知結果が無であり，且つ，上記第２の検知結果が有である場合，上記給紙カセット着脱判断手段は，上記給紙カセットの着脱有りと判断するものである請求項２に記載の給紙装置。
【請求項５】
上記第２の検知結果及び上記第１の検知結果が無であり，且つ，上記第３の検知結果が有である場合，上記給紙カセット着脱判断手段は，上記給紙カセットの着脱有りと判断するものである請求項２に記載の給紙装置。
【請求項６】
上記記録紙を載置していない記録紙積載板が移動可能な範囲のうちの最上部に上記記録紙積載板があるか否かを検知する記録紙積載板検知手段を備えてなり，
上記第２の検知結果及び上記第１の検知結果が無であり，電源投入時に上記記録紙積載板検知手段により上記記録紙積載板が検知された場合，上記給紙カセット着脱判断手段は上記給紙カセットの着脱無しと判断し，電源投入時に上記記録紙積載板検知手段により上記記録紙積載板が検知されなかった場合，上記給紙カセット着脱判断手段は上記給紙カセットの着脱有りと判断するものである請求項２に記載の給紙装置。
【請求項７】
請求項１〜６のいずれかに記載の給紙装置を備えた画像形成装置。
【発明の詳細な説明】
【技術分野】
【０００１】
本発明は，給紙装置，画像形成装置に関し，特に，装置本体に着脱可能な給紙カセットの，電源オフ時における着脱を判断する機能を備えた給紙装置，画像形成装置に関するものである。
【背景技術】
【０００２】
従来の給紙装置では，給紙カセットに収容された記録紙の抜き差しを把握するために，給紙カセット検知センサなどにより，上記給紙カセットの着脱を検知していた。当然ながら，上記給紙カセット検知センサによる検知は通電時にしか実行できない。従って，このような従来の給紙装置では，上記給紙装置の電源切断状態での給紙カセットの着脱の有無を把握することができなかった。
上記のような電源切断時における給紙カセットの着脱を把握するために，特許文献１には，装置本体に着脱自在な収納トレイ手段と，電磁ソレノイドが設けられており，上記電磁ソレノイドの駆動により上記収納トレイ手段の着脱が規制されている装置が記載されている。この装置では，電源切断時には，上記電磁ソレノイドの駆動によらず手動により上記収納トレイ手段の着脱の規制を解除可能にするロック機構と，電源切断時に行われた上記ロック機構の手動による動作の有無を記憶する記憶手段とを備えることによって，電源切断状態での上記収納トレイ手段の着脱の有無を把握することができる。
【特許文献１】特開平１１−３３９１０２号公報
【発明の開示】
【発明が解決しようとする課題】
【０００３】
しかしながら，特許文献１に記載のような装置では，上記のようなロック機構を備えていない画像形成装置には適用できないし，ロック機構を設けると，コストがかかるという問題がある。
従って，本発明は上記事情に鑑みてなされたものであり，その目的とするところは，電源切断状態での給紙カセットの着脱の有無の把握を安価に達成できる給紙装置を提供することにある。
【課題を解決するための手段】
【０００４】
当該給紙装置本体に着脱自在な給紙カセットに設けられ記録紙を積載する記録紙積載板と，上記給紙カセットが着脱される時に上記記録紙積載板を移動可能な範囲のうちの最下部に移動させる移動手段と，上記記録紙積載板に積載された記録紙の最上層が予め定められた給紙位置にあるか否かを検知する記録紙検知手段とを備えた従来の給紙装置では，電源切断状態で上記給紙カセットの着脱の有無を把握するには，高価な機構を設けなければならなかった。
本発明では，当該給紙装置の電源切断時に上記記録紙積載板がその移動可能な最上部に移動され，その時に上記記録紙検知手段により検知された検知結果を記憶する記録紙検知結果記憶手段と，上記給紙装置の電源が投入されるたびに，電源投入時に上記記録紙検知手段により検知された第１の検知結果と，上記記録紙検知結果記憶手段により記憶された第２の検知結果と，電源投入後に上記移動手段により上記記録紙積載板が，その上面に載置された記録紙の最上層が上記給紙位置に達する位置に移動されるか又は記録紙を載置していない記録紙積載板が移動可能な範囲のうちの最上部に移動された時に上記記録紙検知手段により検知された第３の検知結果と，に基づいて，上記給紙装置の電源切断状態での上記給紙カセットの着脱の有無を判断する給紙カセット着脱判断手段と，を備えている。
このように，上記給紙カセットが着脱される時は干渉を避けるために上記記録紙積載板を最下部まで移動させる構造となっている。そのため，上記給紙カセットが着脱された場合は上記記録紙積載板が最下部にあるため，上記記録紙積載板に記録紙が積載されていても，上記記録紙検知手段は，上記記録紙を検知しない。このことを利用して，上記給紙カセットの着脱の有無を判断する。
これにより，電源切断状態で上記給紙カセットの着脱の有無の把握を安価に達成する給紙装置を提供することができる。
特に，上記給紙カセット着脱判断手段が，上記給紙装置の電源が投入されるたびに，上記第１の検知結果と，上記第２の検知結果及び上記第３の検知結果のいずれか一方又は両方と，に基づいて，上記給紙装置の電源切断状態での上記給紙カセットの着脱の有無を判断することが考えられる。
上記給紙カセット着脱判断手段が，上記給紙装置の電源が投入されるたびに，上記第１の検知結果と，上記第２の検知結果及び上記第３の検知結果のいずれか一方又は両方と，に基づいて，上記給紙装置の電源切断状態での上記給紙カセットの着脱の有無を判断する具体例としては，上記第１の検知結果が有の場合，上記給紙カセット着脱判断手段は，上記給紙カセットの着脱無しと判断することが考えられる。
なぜなら，上記第１の検知結果が有の場合，上記記録紙積載板は最下部になく上記記録紙積載板に積載された記録紙の最上層が上記給紙位置にあるので，上記給紙カセットの着脱無しと判断することができる。
また，上記第１の検知結果が無であり，且つ，上記第２の検知結果が有である場合，上記給紙カセット着脱判断手段は，上記給紙カセットの着脱有りと判断することが考えられる。
電源切断時は，上記記録紙積載板は最下部になく上記記録紙積載板に積載された記録紙の最上層が上記給紙位置にあった。一方，電源投入後の上記第１の検知結果が無ということは，上記記録紙積載板が最下部にあるか，或いは上記記録紙積載板に記録紙が積載されていないことが考えられるが，電源切断時に上記記録紙積載板を最下部まで移動させることなく記録紙を抜き取られることはないので，上記記録紙積載板は最下部にある。従って，上記給紙カセットの着脱があったと判断することができる。
上記第２の検知結果及び上記第１の検知結果が無であり，且つ，上記第３の検知結果が有である場合，上記給紙カセット着脱判断手段は，上記給紙カセットの着脱有りと判断することが考えられる。
なぜなら，電源切断時は上記記録紙積載板が最上部に位置して上記記録紙積載板に記録紙が積載されておらず，電源投入後，上記移動手段により上記記録紙積載板を上記記録紙積載板に積載された記録紙の最上層が給紙位置に達する位置まで移動させると，上記記録紙検知手段により記録紙が検知されたので，電源切断状態で，上記給紙カセットの着脱があり，上記記録紙が補給されたと考えられるからである。
また，記録紙を載置していない記録紙積載板が移動可能な範囲のうち最上部に上記記録紙積載板があるか否かを検知する記録紙積載板検知手段を備えてなり，上記第２の検知結果及び上記第１の検知結果が無であり，電源投入時に上記記録紙積載板検知手段により上記記録紙積載板が検知された場合，上記給紙カセット着脱判断手段は上記給紙カセットの着脱無しと判断し，電源投入時に上記記録紙積載板検知手段により上記記録紙積載板が検知されなかった場合，上記給紙カセット着脱判断手段は上記給紙カセットの着脱有りと判断することが考えられる。
上記記録紙積載板検知手段の検知結果を用いることにより，上記記録紙検知手段の検知結果だけでは判断がつきかねるケースを判断することができる。例えば，電源切断時に上記給紙カセットの上記記録紙積載板に記録紙が積載されていない場合に，上記給紙カセットの着脱が行われていないか，或いは，記録紙を補給せず上記給紙カセットの着脱のみが行われたか，を判断することができる。
【発明の効果】
【０００５】
電源切断状態での給紙カセットの着脱の有無の把握を安価に達成できる給紙装置を提供することができる。
【発明を実施するための最良の形態】
【０００６】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係る給紙装置Ｘが装着された画像形成装置Ｙの制御系統のブロック図，図２は本発明の実施の形態に係る給紙装置Ｘの概略構成を示す模式断面図，図３は給紙装置Ｘの制御部１２０による給紙カセット着脱判断処理の手順についてその一例を説明するためのフローチャートである。
【０００７】
本実施の形態に係る給紙装置Ｘが装着された画像形成装置Ｙの概略構成及びその動きについて説明する。
上記画像形成装置Ｙは，図１に示すように，大別すると，原稿台に載置された原稿を読み取る画像読取部１０と，上記画像読取部１０により読み取られた原稿の画像データに基づいて記録紙にトナー像を形成（転写）する画像形成部２０と，上記画像形成部２０に記録紙を供給する給紙装置Ｘと，上記画像形成部２０でトナー像が形成された記録紙にそのトナー像を加熱定着させる定着部３０と，画像読み取りの開始操作等の各種操作が行われる操作入力部３と，各種情報を表示する表示部２と，これらを統括的に制御する制御部１などを備えて構成されている。
【０００８】
続いて，上記画像形成装置Ｙで実行される画像形成処理について簡単に説明する。
上記操作入力部３のスタートキーなどにより入力操作がなされると，上記画像読取部１０により上記原稿台に載置された原稿の画像が読み取られ，読み取られた原稿画像光は，ＣＣＤセンサ等の不図示の光電変換器により電気的な画像情報信号（ディジタル画像データ）に変換された後，所定の画像処理がなされて露光部（不図示）に入力される。その後，この露光部から画像処理後の画像データに従ったレーザビームが感光体ドラム表面に出射される。
上記画像形成部２０には，上記感光体ドラムと，その周囲に，帯電部，クリーニング部，除電部が設けられており，その近傍には現像部と，上記感光体ドラムに対向する転写部とが配置されている。
続いて，上記帯電部により帯電された上記感光体ドラム表面に，静電潜像が書き込まれる。上記感光体ドラムは所定の方向に回転され，上記現像部に備えられた現像ローラ（不図示）と接する現像位置において，上記現像ローラに担持されたトナーが上記感光体ドラム６表面上の静電潜像に移行して，トナー画像が形成される。
上記感光体ドラムは引き続き回転され，上記感光体ドラム上に形成された上記トナー画像は，上記転写部により上記給紙装置Ｘにより搬送された記録紙に転写される。上記給紙装置Ｘの給紙動作については，後述する。上記転写部よりも上記感光体ドラムの回転方向下流側には，上記クリーニング部が配置されており，上記感光体ドラムの表面上に残留したトナーや他の付着物が除去される。上記クリーニング部よりも上記感光体ドラムの回転方向下流側には，上記除電部が設けられており，上記感光体ドラムに残留する電位が除去される。
上記画像形成（転写）された記録紙は，上記定着部３０まで搬送される。
上記記録紙に転写されたトナー像は，上記定着部３０により熱を加えられ，記録紙に定着される。
その後，上記記録紙は，排出ローラ（不図示）まで搬送され，上記画像形成装置Ｙ外部へ排出される。
【０００９】
次に，上記給紙装置Ｘについて説明する。
図１に示すように，本実施の形態に係る給紙装置Ｘの制御系統は，該給紙装置Ｘ本体に着脱自在な給紙カセット１００内の記録紙積載板１０１を昇降移動させる移動板１０２の軸１０３を駆動するモータ１０４と，記録紙積載板センサ１０５と，記録紙センサ１０６と，カセットセンサ１０７と，ピックアップローラ１０８と，給紙ローラ１０９と，分離ローラ１１０と，中間搬送ローラ１１１と，レジストローラ１１２と，記憶部１２１と，これらを統括的に制御する制御部１２０などにより構成されている。
上記給紙カセット１００には，図１，図２に示すように，記録紙を積載する記録紙積載板１０１が備えられている。上記記録紙積載板１０１には，記録紙の有無を光学的に検出するための開口１０１−１が形成されている。
図２（ａ）は，記録紙が載置された記録紙積載板１０１が移動可能な範囲のうちの最下部，即ち水平状態にある場合の図である。
上記軸１０３は，上記給紙カセット１００の着脱方向に長く，上記給紙装置Ｘ本体に設けられ，上記モータ１０４により回転される。
上記移動板１０２は，一端が上記軸１０３に固着されている。従って上記移動板１０２は，上記給紙カセット１００が上記給紙装置Ｘ本体に装着されている場合は，上記モータ１０４の駆動による上記軸１０３の回転とともに，上記軸１０３を中心として回動変位する。そして，上記記録紙積載板１０１を押し上げ，上記記録紙積載板１０１に積載された記録紙を上記ピックアップローラ１０８に当接させる。記録紙が無いときは，記録紙積載板１０１自体をピックアップローラ１０８に当接させる。このときの記録紙載置板１０１の位置が，記録紙積載板１０１の移動可能な範囲の最上位置であり，後述の記録紙積載板センサ１０５が検知する位置である。これは例えばリミットスイッチ，フォトセンサなどにより検知される。
上記ピックアップローラ１０８は，当接された記録紙を送り出して上記給紙ローラ１０９へ搬送する。このピックアップローラ１０８に接しているときの，上記記録紙の位置を給紙位置という。
図２（ｂ）は，記録紙が載置された記録紙積載板１０１が上記モータ１０４の駆動による上記軸１０３，上記移動板１０２の回動により押し上げられ，上記記録紙積載板１０１上に載置された記録紙の最上層が上記給紙位置にある状態を示す図である。
上記給紙カセット１００は，上記給紙装置Ｘ本体に着脱可能で，図２において手前方向に引き出す（はずす）ことができる。上記給紙カセット１００が着脱される時に，最上層の記録紙が上記ピックアップローラ１０８に当接していると，上記最上層の記録紙が損傷する可能性があるために，上記記録紙積載板１０１は，上記移動板１０２が上記モータ１０４の駆動によらずに図２（ｂ）における矢印Ｐ１方向に移動されることにより，上記記録紙積載板１０１が移動可能な範囲のうちの最下部（図２（ａ）の位置）に移動される。このような構造については，上記給紙カセット１００の前面下部に設けられた突起が上記軸１０３端部に設けられた部材が押し下げられることにより，上記軸１０３が上記モータ１０４の駆動によらずに回転して上記軸１０３の他端に設けられている上記移動板１０２が押し下げられるといった，周知の機械的構成が採用される。
ここで，上記給紙カセット１００が着脱される時に上記モータ１０４の駆動によらずに上記記録紙積載板１０１を移動可能な範囲のうちの最下部に移動させる周知の機械的構成が，移動手段の一例に相当する。
上記カセットセンサ１０７は，上記給紙カセット１００が上記給紙装置Ｘ本体に装着されているか否かを検知する。通常フォトセンサやリミットスイッチなどで構成される。
上記記録紙積載板センサ１０５は，前述のように上記記録紙積載板１０１が移動可能な範囲のうちの最上部にあるか否かを検知する。
上記記録紙積載板センサ１０５により上記記録紙積載板１０１が検知されると，上記モータ１０４の駆動が停止される。これにより，上記軸１０３の回転が停止し，上記移動板１０２，上記記録紙積載板１０１も停止する。
上記記録紙積載板センサ１０５が，記録紙積載板検知手段の一例に相当する。
上記記録紙センサ１０６は，上記記録紙積載板１０１に積載された記録紙の最上層が，上記給紙位置（前述の通りピックアップローラ１０８に接している位置）にあるか否かを検知する。上記記録紙センサ１０６は，一例として，反射型フォトセンサなどである。上記記録紙積載板１０１に記録紙が積載されており，記録紙の最上層が上記給紙位置にあれば，上記記録紙積載板１０１上に載置された記録紙により反射された光がセンサの受光部で受光され，記録紙ありと判断される。上記記録紙積載板１０１に記録紙が積載されていなければ，光は上記記録紙積載板１０１に形成された開口１０１−１を通り抜けて受光されないので，記録紙なしと判断される。また，上記記録紙積載板１０１上に記録紙があっても，その最上層の記録紙が給紙位置にない（給紙位置より下方にある）場合には，上記記録紙センサ１０６は検出光を受光できないので，記録紙無しの信号を出力する。上記記録紙積載板１０１が最下部にある場合は，最大量の記録紙を載置しても，給紙位置まで届かないので，上記記録紙センサ１０６は記録紙無しの信号を出力する。これにより，上記給紙位置の記録紙の有無が検知される。
ここで，上記記録紙センサ１０６が，記録紙検知手段の一例に相当する。
上記記録紙センサ１０６により上記記録紙が検知されると，上記モータ１０４の駆動が停止される。これにより，上記軸１０３の回転が停止し，上記移動板１０２，上記記録紙積載板１０１も停止する。
なお，上記記録紙積載板センサ１０５は，当該記録紙積載板１０１上に記録紙が無い状態での記録紙積載板１０１が上記ピックアップローラ１０８に当接したことを検知するものであるから，上記記録紙センサ１０６の検知結果が有りの場合，上記記録紙積載板センサ１０５の検知結果は無しとなる。
上記分離ローラ１１０は上記給紙ローラ１０９により給紙された記録紙を分離して最上層の記録紙のみを送り出すローラ，上記中間搬送ローラ１１１は上記分離ローラ１１０により搬送された記録紙を搬送するローラ，上記レジストローラ１１２は上記中間搬送ローラ１１１から搬送された記録紙を上記画像形成部２０に搬送するローラである。
【００１０】
上記画像形成装置Ｙの上記操作入力部３の電源ボタンが押下されるなどにより，上記給紙装置Ｘの電源切断の指示がなされた場合，上記記録紙センサ１０６及び上記記録紙積載板センサ１０５の検知結果がどちらも無しであれば，上記制御部１２０により，上記モータ１０４が駆動され，上記軸１０３が回転され上記移動板１０２が上方に向けて回動することにより，上記記録紙積載板１０１が，その上面に載置された記録紙の最上層が上記給紙位置に達する位置に移動されるか，又は記録紙を載置していない記録紙積載板１０１が移動可能な範囲のうちの最上部に移動される。そして，上記記録紙積載板１０１が移動された後の上記記録紙センサ１０６の検知結果が，上記制御部１２０により，上記記憶部１２１に記憶される。その後，上記給紙装置Ｘの電源が切断される。
ここで，上記記憶部１２１が，記録紙検知結果記憶手段の一例に相当する。
また，上記記憶部１２１に記憶された上記記録紙センサ１０６の検知結果が，第２の検知結果の一例に相当する。
なお，本実施の形態では，上記給紙装置Ｘに上記記憶部１２１が備えられているが，上記画像形成装置Ｙに備えられた不図示の記憶部に換えても，あるいはこれを併用してもかまわない。
【００１１】
次に，上記給紙装置Ｘの給紙動作について簡単に説明する。
上記制御部１により，給紙指示がなされると，上記記録紙センサ１０６及び上記記録紙積載板センサ１０５の検知結果が確認される。該検知結果がどちらも無しであれば，上記モータ１０４が駆動される。上記モータ１０４の駆動により上記軸１０３が回転されて上記移動板１０２が回動される。これにより，上記記録紙積載板１０１が上方向に移動される。
やがて上記記録紙センサ１０６により記録紙が検知されると，上記モータ１０４が停止され，上記記録紙積載板１０１も停止する。続いてピックアップローラ１０８が回転することによって上記記録紙積載板１０１に積載された記録紙の最上層の記録紙が送り出され，上記給紙ローラ１０９に搬送される。上記給紙ローラ１０９に搬送された記録紙は，上記分離ローラ１１０により分離され，上記中間搬送ローラ１１１，上記レジストローラ１１２により上記画像形成部２０まで搬送される。
なお，上記記録紙積載板１０１が上昇しきったとき，上記記録紙積載板センサ１０５の検知結果が有りならば，上記制御部１により，上記表示部２に，記録紙が無い旨の表示がなされる。
なお，この給紙位置では，電源が切断されると，実際の切断に先立ってまず記録紙積載板１０１が，移動可能な最上位置まで移動される。
【００１２】
ところで，通電時には電磁ソレノイドの駆動などにより給紙カセットの着脱を規制する従来の給紙装置では，電源切断時には上記電磁ソレノイドの駆動によらず手動により上記給紙カセットの着脱の規制を解除可能にするロック機構と，電源切断時に行われた上記ロック機構の手動による動作の有無を記憶する記憶手段とを設けなければ，上記給紙装置の電源切断状態での給紙カセットの着脱の有無を把握することができなかった。
本実施の形態では，上記ロック機構といった高価な機構を新たに設けることなく，給紙装置Ｘの電源切断状態での給紙カセット１００の着脱の有無の把握を安価に達成する給紙装置Ｘを提供する。
以下に詳細を記す。
【００１３】
まず，上記給紙装置Ｘの電源切断前後の上記記録紙センサ１０６の検知結果や上記記録紙積載板１０１の位置などにより以下の表の様に１６個の場合が考えられる。
【表１】
2008114998.tif 000003
表１において，Ａ列は，当該給紙装置Ｘの電源切断時（上記記録紙積載板１０１が移動可能な最上位置に移動）の上記記録紙センサ１０６による検知結果である。Ｂ列は，電源切断時の上記記録紙積載板１０１の位置であり，「上」は上記記録紙積載板１０１が移動可能な範囲の最上部（上記記録紙積載板１０１の上面に載置された記録紙の最上層が上記給紙位置に達する位置，或いは上記記録紙積載板１０１自体が上記ピックアップローラ１０８に当接する位置）であり，「下」は移動可能な範囲のうちの最上部ではない下方（最下部，もしくは最上部と最下部との間）である。但し，これは検知結果ではなく，想定上の位置である。Ｃ列は電源投入直後の上記記録紙センサ１０６による記録紙有無の検知結果である。記録紙ありは，前記の通り理論上記録紙が給紙位置にあることを示している。Ｄ列は，電源投入直後に上記記録紙センサ１０６による検知が行われた後の動作であり，上記記録紙積載板１０１を上昇させるか，何も行わないかのどちらかである。Ｅ列は，上記Ｄ列の動作後の上記記録紙センサ１０６による検知結果である。Ｆ列は，上記制御部１２０による，当該給紙装置Ｘの電源切断状態での給紙カセット１００の着脱の有無の判断結果であり，「○」は電源切断状態に給紙カセット１００の着脱が行われたとの判断結果，「×」は電源切断状態に給紙カセット１００の着脱は行われていないとの判断結果である。
このうち，番号１，２，５，６，７，８，９，１３，１４，１５，１６は理論上，ありえない状態である（太線で囲んで示されている部分）。
表１の番号１，２の場合は，上記給紙装置Ｘの電源切断時は上記記録紙積載板１０１が最上部にあり，記録紙がなかった（即ち，記録紙積載板がピックアップローラに当たる位置にあった）のに，電源投入後は上記記録紙積載板１０１が給紙位置にあり，記録紙が検知されたことを示しているが，このようなことはありえない。なぜなら，記録紙を補給するには，上記給紙カセット１００を着脱しなければならず，上記給紙カセット１００の着脱を行えば，前述の，上記給紙カセット１００が着脱される時に上記モータ１０４の駆動によらずに上記記録紙積載板１０１を移動可能な範囲のうちの最下部に移動させる周知の構造（移動手段）により，上記記録紙積載板１０１は最下部に位置するから記録紙が検知されることはありえないからである。
表１の番号９の場合は，上記給紙装置Ｘの電源切断時は上記記録紙積載板１０１が給紙位置にあり，（記録紙センサが記録紙ありを検出しているから）電源投入後も上記記録紙積載板１０１は給紙位置にあるので，上記給紙カセット１００の着脱がなかったことはあきらかである。従って，その後，上記記録紙積載板１０１を移動させて上記記録紙センサ１０６の検知結果がなしになる場合を考えなくてもよい。
表１の番号５，６，７，８，１３，１４，１５，１６の場合は，既に述べたように，当該給紙装置Ｘの電源切断時には，上記モータ１０４，上記軸１０３，上記移動板１０２により，上記記録紙積載板１０１が移動可能な範囲のうちの最上部に移動されるので，電源切断時にＢ列の記録紙積載板１０１の位置が「下」であることはないので，考えなくてもよい部分である。
【００１４】
続いて，図３のフローチャートを用いて，給紙装置Ｘの電源切断，投入後に，給紙装置Ｘの制御部１２０により実行される給紙カセット着脱判断処理の手順について説明する。表１のような場合（番号３，４，１０，１１，１２）はどのように判断されるのかも合わせて説明する。
既に述べたように，上記給紙カセット１００が着脱される時は，最上層の記録紙が上記ピックアップローラ１０８に当接していると，上記最上層の記録紙が損傷する可能性があるために，上記記録紙積載板１０１を上記モータ１０４などの電気部品を使うことなく最下部まで移動させる構造になっている。そのため，電源切断下において上記給紙カセット１００が着脱された場合は，上記記録紙積載板１０１が最下部にあるため，上記記録紙積載板１０１に記録紙が積載されていても，上記記録紙センサ１０６は，上記記録紙を検知しない。このことを利用して，上記給紙カセット１００の着脱の有無を判断する。
図中のＳ１０，Ｓ２０…は処理手順（ステップ）番号を示し，処理はステップＳ１０より開始される。
ステップＳ１０では，上記給紙装置Ｘの電源が投入されるのを待つための手順である。
上記給紙装置Ｘの電源が投入されると，上記記録紙センサ１０６により，給紙位置の記録紙の有無が検知され（ステップＳ２０），処理はステップＳ３０に移行される。
ここで，上記ステップＳ２０での，電源投入時に上記記録紙センサ１０６により検知された検知結果が，第１の検知結果の一例に相当する。
ステップＳ３０では，上記制御部１２０により，上記ステップＳ２０で上記記録紙センサ１０６により記録紙が検知されたか否かが判断される。上記記録紙センサ１０６により記録紙が検知されなかったと判断されれば（ステップＳ３０のＹｅｓ側。表１の番号３，４，１１，１２の場合），処理はステップＳ４０に移行される。
また，上記ステップＳ３０において，上記制御部１２０により，上記記録紙センサ１０６により記録紙が検知された（表１の番号１０の場合）と判断されれば（ステップＳ３０のＮｏ側），処理は終了する。なぜなら，電源投入後に上記記録紙センサ１０６による検知結果が有りということは，上記記録紙積載板１０１が，その上面に載置された記録紙の最上層が上記給紙位置に達する位置にあるということであり，上記記録紙積載板１０１が最下部にないので，上記給紙カセット１００の着脱が行われなかったと判断できるからである。
【００１５】
ステップＳ４０では，上記記憶部１２１に記憶されている電源切断時の上記記録紙センサ１０６の検知結果が，記録紙無しかどうかが判断される。上記記憶部１２１に記憶されている電源切断時の上記記録紙センサ１０６の検知結果が，記録紙無しであれば（ステップＳ４０のＹｅｓ側。表１の番号３，４の場合），処理はステップＳ５０に移行される。上記記憶部１２１に記憶されている電源切断時の上記記録紙センサ１０６の検知結果が，記録紙有りであれば（ステップＳ４０のＮｏ側。表１の番号１１，１２の場合），ステップＳ８０おいて，電源切断中に上記給紙カセット１００の着脱があったと判断される。なぜなら，電源切断時は上記記録紙積載板１０１が，その上面に載置された記録紙の最上層が上記給紙位置に達する位置にあったのに，電源投入後は，上記記録紙センサ１０６により記録紙無しと検知されているので，上記給紙カセット１００の着脱が行われて，上記記録紙積載板１０１が最下部に移動したか，又は記録紙が全部取り除かれたと判断できるからである。
前記ステップＳ５０（表１の番号３，４の場合）では，上記制御部１２０により，上記モータ１０４が駆動され，上記軸１０３が回転して，上記移動板１０２が回動して，上記記録紙積載板１０１が，その上面に載置された記録紙の最上層が上記給紙位置に達する位置に移動されるか，又は記録紙を載置していない記録紙積載板１０１が移動可能な範囲のうちの最上部にまで移動され，処理はステップＳ６０に移行される。
【００１６】
ステップＳ６０では，上記記録紙センサ１０６により，給紙位置に記録紙があるか否かが検知され，処理はステップＳ７０に移行される。
ここで，上記ステップＳ６０で上記記録紙センサ１０６により検知された検知結果が，第３の検知結果の一例に相当する。
ステップＳ７０では，上記制御部１２０により，上記ステップＳ６０で上記記録紙センサ１０６により記録紙が検知されたか否かが判断される。上記記録紙センサ１０６により記録紙が検知されたと判断されれば（ステップＳ７０のＹｅｓ側。表１の番号４の場合），処理はステップＳ８０に移行される。
ステップＳ８０では，上記制御部１２０により，上記給紙カセット１００の着脱が行われたと判断され，処理は終了する。なぜなら，電源切断時は上記記録紙積載板１０１上に記録紙が載置されておらず，電源投入後に記録紙が検出されない（上記記録紙積載板１０１が最下部にあるためか，上記記録紙積載板１０１上に記録紙が全く無いかのいずれか）ので，電源投入後に上記記録紙積載板１０１をその上面に載置された記録紙の最上層が上記給紙位置に達する位置まで移動させた時に上記記録紙積載板１０１に載置された記録紙が検知されたということは，電源投入時に上記記録紙積載板１０１が最下部にあり，その上に記録紙が載っている状態であるから，電源切断状態で，上記給紙カセット１００の着脱が行われ，記録紙が補給されたと考えられるからである。
上記記録紙センサ１０６により記録紙が検知されなかったと判断された場合（ステップＳ７０のＮｏ側。ステップＳ９０）には，電源投入後には記録紙が載置されていないことを示しているので，上記制御部１２０は，電源切断中に何も操作されていなかったと判断し，処理は終了する。
【００１７】
これにより，電源切断状態で上記給紙カセット１００の着脱の有無の把握を安価に達成する給紙装置Ｘを提供することができる。
ここで，上記給紙装置Ｘの電源が投入されるたびに（ステップＳ１０），上記第１の検知結果と（ステップＳ２０，Ｓ３０），上記第２の検知結果（ステップＳ４０）及び上記第３の検知結果（ステップＳ６０，Ｓ７０）のいずれか一方又は両方と，に基づいて，上記給紙装置Ｘの電源切断状態での上記給紙カセット１００の着脱の有無を判断する上記制御部１２０が，給紙カセット着脱判断手段の一例に相当する。
なお，この判断結果を用いて，電源切断状態での上記給紙カセット１００の着脱の有無を，上記画像形成装置Ｙの上記表示部２に表示して，利用者に上記給紙カセット１００内の記録紙の抜き差しの確認を促してもよい。
【００１８】
また，上記記録紙センサ１０６の検知結果とともに，上記記録紙積載板センサ１０５の検知結果をも用いれば，上記記録紙センサ１０６の検知結果だけでは判断がつきかねるケースを判断することができる。
表２は表１に電源投入直後の記録紙積載板センサ１０５の検知結果を追加したものである。
【表２】
2008114998.tif 000004
上記記録紙センサ１０６の検知結果が記録紙なしの場合に上記記録紙積載板センサ１０５の検知結果が記録紙積載板あり，なしの場合が考えられるので，番号３−１，７−１，１１−１の行を追加した。例えば，電源切断時の上記記録紙センサ１０６の検知結果が記録紙なし，電源投入直後の上記記録紙センサ１０６の検知結果が記録紙なし，動作後の上記記録紙センサ１０６の検知結果が記録紙なし（表２の番号３，３−１）の場合に，電源投入直後の上記記録紙積載板センサ１０５の検知結果をも用いると，上記記録紙積載板１０５は電源切断時，電源投入直後ともに最上部にあり，上記給紙カセット１００の着脱が行われていないと判断される場合（表２の番号３）と，電源切断状態で記録紙の補給はなくただ上記給紙カセット１００の着脱を行っただけの場合と，を区別して判断することができる。
なぜなら，電源切断時は上記記録紙積載板１０１上に記録紙が載置されておらず，電源投入後に記録紙が検出されない（上記記録紙積載板１０１上に記録紙がなく最下部にあるためか，上記記録紙積載板１０１上に記録紙がなく最上部にあるかのいずれか）ので，電源投入後に上記記録紙積載板センサ１０５により上記記録紙積載板１０１が検知されたということは，電源投入時に上記記録紙積載板１０１が最上部にあり，その上に記録紙がない状態であるから，電源切断状態で，上記給紙カセット１００の着脱が行われていないと考えられるからである。
一方，電源投入後に上記記録紙積載板センサ１０５により上記記録紙積載板１０１なしという信号が出力されたということは，上記記録紙積載板１０１は最下部にあるので，電源切断状態で，上記給紙カセット１００の着脱が行われたと考えられる。そして，上記記録紙積載板１０１が上記モータ１０４，上記軸１０３，上記移動板１０２により最上部に移動された後，上記記録紙センサ１０６により記録紙がないと検知信号が出力されたということは，電源切断状態で，上記給紙カセット１００の着脱を行ったものの，上記記録紙積載板１０１に記録紙を載置していないと考えられるからである。
【図面の簡単な説明】
【００１９】
【図１】本発明の実施の形態に係る給紙装置Ｘが装着された画像形成装置Ｙの制御系統のブロック図。
【図２】本発明の実施の形態に係る給紙装置Ｘの概略構成を示す模式断面図。
【図３】給紙装置Ｘの制御部１２０による給紙カセット着脱判断処理の手順についてその一例を説明するためのフローチャート。
【符号の説明】
【００２０】
１，１２０…制御部
２…表示部
３…操作入力部
１０…画像読取部
２０…画像形成部
３０…定着部
１００…給紙カセット
１０１…記録紙積載板
１０２…移動板
１０３…軸
１０４…モータ
１０５…記録紙積載板センサ
１０６…記録紙センサ
１０７…カセットセンサ
１０８…ピックアップローラ
１０９…給紙ローラ
１１０…分離ローラ
１１１…中間搬送ローラ
１１２…レジストローラ
１２１…記憶部
【図１】
2008114998.tif 000005
【図２】
2008114998.tif 000006
【図３】
2008114998.tif 000007